(57)【要約】【課題】記録動作を停止するようなエラーが発生して正常に復旧するまでの間、周辺デバイスに対する電源供給を停止可能となり、エラー発生からエラー復旧までの間に消費される無駄な電力を節減できる利便性に優れた電源管理を行えることである。【解決手段】周辺デバイスから入力される画像データに基づいて記録ヘッドの駆動を制御して記録媒体に印刷を行う際に、ダイレクトプリント制御回路１１４が記録ヘッドを駆動した記録動作中に、記録動作を停止するようなエラーが発生しているかどうかをエラー情報から判断して、Ｉ／Ｆ制御回路１０６によりエラーが発生していると判断された場合に、スキャナに対する電源供給を停止する構成を特徴とする。【選択図】      図２
2004167879.tif 000002
【特許請求の範囲】
【請求項１】
所定のケーブルを介して周辺デバイスと通信するとともに、該所定のケーブルを介して該周辺デバイスに電源を供給可能な記録装置であって、
前記周辺デバイスから入力される画像データに基づいて記録ヘッドの駆動を制御して記録媒体に印刷を行う印刷制御手段と、
前記記録ヘッドを駆動した記録動作中に、記録動作を停止するようなエラーが発生しているかどうかを判断する判断手段と、
前記判断手段によりエラーが発生していると判断された場合に、前記所定のケーブルを介しての前記周辺デバイスに対する電源供給を停止する電源制御手段と、
を備えたことを特徴とする記録装置。
【発明の詳細な説明】
【０００１】
【発明の属する技術分野】
本発明は、所定のケーブルを介して周辺デバイスと通信するとともに、該所定のケーブルを介して該周辺デバイスに電源を供給可能な記録装置の制御に関するものである。
【０００２】
【従来の技術】
近年、パーソナルコンピュータ、デジタルカメラ等の普及に伴い、ディジタル画像を記録するプリンタ等の記録装置の高精細化が進んでいる。記録装置の中でもインクジェット方式の記録ヘッドを用いたインクジェット記録装置が急速に普及しており、このような記録装置においては、高精細な画像を実現し、且つ低価格なものが求められている。
【０００３】
また、カラーイメージスキャナも高性能、かつ低価格なものが製品化されており、中でもＵＳＢ接続にてホストから直流電圧電源（ＶＢＵＳ）を供給し動作する製品は、その手軽さから広く受け入れられデジタルカメラと併せてデジタルフォトを楽しむ個人ユーザの増加に拍車を掛けている。
【０００４】
従来、カラーイメージスキャナから画像を取り込んで印刷する場合は、画像データをＲＳ−２３２Ｃ、セントロニクス、ＵＳＢ等のケーブル、メモリカード等の記録媒体等を経由し、パーソナルコンピュータ等の処理装置に転送し、そこで動作するアプリケーションソフトを使って、プリンタ等の記録装置に合った形式の適切な画像ファイルに加工を施した後、印刷を行うことが必要である。
【０００５】
ここで、カラーイメージスキャナ、及びプリンタを接続可能なパーソナルコンピュータを所有している場合は上記のような一般的な方法によって印刷することが可能であるが、単純にコピー機の代替としての利用を考える場合、特開平７−１５６４６０号公報に見られるようなスキャナとプリンタを直接接続して機能するシステムがある。
【０００６】
特に、ＵＳＢのＶＢＵＳで駆動可能なスキャナを、例えばインクジェットプリンタに直接接続するような構成は比較的安価に実現できる。また、このように、パーソナルコンピュータを介さずにデジタルカメラやイメージスキャナ等の入力機器からプリンタ等の記録装置へ直接データを転送し記録装置内部でプリントデータ生成を行いプリントすることを「ダイレクトプリント」といい、この機能を備えた記録装置が続々と製品化されている。
【０００７】
【発明が解決しようとする課題】
例えば、入力装置（スキャナ）と記録装置（プリンタ）がＵＳＢインタフェースで接続されている場合のダイレクトプリントにおいて、予期せぬ何らかの障害や記録用紙の詰まり等を起こすとプリンタは例外処理と判断し、印刷動作を一時停止させＬＥＤや液晶パネル等の表示器を介すなどして警告を発生し、ユーザに適切な復旧処理を促す。
【０００８】
しかし、この「プリンタが一時停止している状態」においても、スキャナにはプリンタから電源電圧ＶＢＵＳがＵＳＢを介して供給された状態にある。
【０００９】
一般的にスキャナによる画像の取り込み動作は取り込み解像度を高くすればするほど時間とデータ容量を必要とするため、例えば、ユーザがある画像をスキャナで高精細に取り込んでダイレクトプリントをする時、時間がかかることを考慮しその間は他の場所で別の作業を行うといったことも考えられる。
【００１０】
このようにユーザが機器の側にいない場合、何らかの障害によりプリンタのプリント動作が停止してしまうと、スキャナは電源が入ったままであり電力を無駄に消費し続けることになる。
【００１１】
特に、充電池等のバッテリにおいて動作するダイレクトプリント機能を備えたプリンタにとって充電池の消耗を早めてしまう等の問題点があった。
【００１２】
本発明は、上記の問題点を解決するためになされたもので、本発明の目的は、所定のケーブルを介して周辺デバイスと通信するとともに、該所定のケーブルを介して該周辺デバイスに電源を供給可能な記録装置において、周辺デバイスから入力される画像データに基づいて記録ヘッドの駆動を制御して記録媒体に印刷を行う際に、記録ヘッドを駆動した記録動作中に、記録動作を停止するようなエラーが発生しているかどうかを判断して、エラーが発生していると判断された場合に、周辺デバイスに対する電源供給を停止することにより、記録動作を停止するようなエラーが発生して正常に復旧するまでの間、周辺デバイスに対する電源供給を停止可能となり、エラー発生からエラー復旧までの間に消費される無駄な電力を節減できる利便性に優れた電源管理を行える記録装置を提供することである。
【００１３】
【課題を解決するための手段】
上記目的を達成する本発明の記録装置は以下に示す構成を備える。
【００１４】
本発明は、所定のケーブルを介して周辺デバイスと通信するとともに、該所定のケーブルを介して該周辺デバイスに電源を供給可能な記録装置であって、前記周辺デバイスから入力される画像データに基づいて記録ヘッドの駆動を制御して記録媒体に印刷を行う印刷制御手段と、前記記録ヘッドを駆動した記録動作中に、記録動作を停止するようなエラーが発生しているかどうかを判断する判断手段（図２に示すダイレクトプリント制御回路１１４に相当）と、前記判断手段によりエラーが発生していると判断された場合に、前記周辺デバイスに対する電源供給を停止する電源制御手段（図２に示すダイレクトプリント制御回路１１４の指示に基づくＩ／Ｆ制御回路１０６による電源制御処理に相当）とを備えたことを特徴とする。
【００１５】
【発明の実施の形態】
図１は、本発明に係る記録装置を適用した画像処理システムの一例を示す図であり、一例として、画像入力装置であるイメージスキャナ（スキャナ２０２）と画像出力装置であるダイレクトプリント機能を備えたインクジェットプリンタ（プリンタ２０１）がＵＳＢインタフェースで接続されている例に対応する。
【００１６】
図２は、本発明の一実施形態を示す記録装置の構成を説明するブロック図である。
【００１７】
図２において、１０１はＣＰＵで、ＲＯＭ１０２に記憶される制御プログラムおよびその他のテーブルデータ等をＲＡＭ１０３にロードして記録制御を行う。なお、ＲＯＭ１０２には、フォントデータも記憶されている。ＲＡＭ１０３はホストコンピュータや周辺デバイス（図示しない）からインタフェース１０４を介して受信したデータを格納する受信バッファ及び後述のプリントデータ生成回路が生成したプリントデータを格納するプリントバッファ等の領域として用いられる。
【００１８】
１０５はＡＳＩＣ形態の記録装置制御部であり、インタフェース１０４を介してホストコンピュータや周辺デバイスとのデータの送受信を行うインタフェース制御回路１０６と、ＲＡＭ１０３内の受信バッファおよびプリントバッファに対してデータのリード／ライト制御を行うデータ制御回路１０７と、プリントデータの生成を行うプリントデータ生成回路１０８と、生成されたプリントデータの記録ヘッド１１１へのデータ転送や記録ヘッドのインクの吐出制御を行うヘッド制御回路１０９と、記録ヘッド１１１を搭載したキャリッジを走査させるキャリッジモータ１１２および被記録媒体の給排紙を行う搬送モータ１１３の駆動を制御する駆動制御回路１１０と、ユーザが適宜設定を行うためのダイレクトプリント操作パネルを含むダイレクトプリント制御回路１１４と、プリンタ本体の電源をオンオフする電源スイッチ１１６、及び予期せぬエラーによって停止した状態から機能を復帰させるため等に使用するレジュームスイッチ１１７のキー操作を制御するキー操作制御回路１１５とから構成されている。以下、本実施形態の記録装置のプリント動作について説明する。
【００１９】
インタフェース１０４を介してホストコンピュータや周辺デバイス（図示しない）から画像データ等を受信すると、記録装置制御部１０５内のインタフェース制御回路１０６からデータ制御回路１０７によって、ＲＡＭ１０３内に割り当てられた受信バッファに受信データが一旦格納される。
【００２０】
ＲＡＭ１０３上の受信バッファに格納された受信データはコマンド解析がＣＰＵ１０１により行われ、実際の画像データはプリントデータ生成回路１０８によってプリントデータ処理が行われてからＲＡＭ１０３内に割り当てられたプリントバッファに蓄えられる。
【００２１】
そして、プリントバッファに必要量のデータが蓄えられたところでヘッド制御回路１０９によって所定のタイミングでプリントバッファからプリントデータが読み出され、記録ヘッド１１１に転送される。
【００２２】
さらに主走査の過程でヘッド制御回路１０９によって記録ヘッド１１１に対して駆動パルスが与えられることによって実際のプリント動作が行われ、画像が形成される。記録ヘッド１１１の走査および被記録媒体の搬送は、駆動制御回路１１０によってキャリッジモータ１１２および搬送モータ１１３を駆動することによってなされる。
【００２３】
また、ダイレクトプリントの動作システム構成は、例えば図１に示したスキャナ２０２からプリンタ２０１へのダイレクトプリントの場合は、スキャナ２０２が画像の取り込みの最中に、プリンタ２０１がインタフェース１０４から画像データを受信し、データ制御回路１０７を介しＲＡＭ１０３に格納しながら、並行してプリントデータ生成回路１０８が受信済の画像データから順次プリントデータの生成を行い、さらに並行して駆動制御回路１１０がプリント動作を行うようにしても良いし、あるいはスキャナ２０２から送信される画像データを全てＲＡＭ１０３に格納してから、以降同様にプリントデータの生成、プリント動作を行うような構成にしても良い。
【００２４】
図３は、図１に示したプリンタ２０１とスキャナ２０２がＵＳＢインタフェースケーブル２０３を経由して接続したシステム形態を説明する図である。以下、一例としてスキャナから送信される画像データを受信しながら同時にプリント動作を行うダイレクトプリント動作を前提に説明する。
【００２５】
ダイレクトプリント時には、プリンタ２０１に設置されている図示しない操作パネル等から、画像の取り込み解像度、プリント品位、用紙サイズ等を設定後、ダイレクトプリントを開始する。スキャナ２０２は駆動制御回路２０４で画像を取り込みながら画像データに変換し、インタフェース２０５からプリンタ２０１側のインタフェース２０６を介しインタフェース制御回路２０７へ転送する。
【００２６】
このとき、スキャナ２０２はプリンタ２０１から電源電圧を供給されて動作するため、制御部２０８はスイッチ２０９をオンし、ＶＢＵＳに電圧Ｖｏｕｔを供給するように制御する。プリンタ２０１がスキャナ２０２から画像データを受け取ると、図示しないプリントデータ制御回路にて適切なプリントデータに変換、生成を行い、これに基づいてプリント動作を行う。
【００２７】
しかしながら、プリント動作中に予期せぬ障害（インク残量なしエラー、紙詰まり、搬送不良等）が発生すると、プリンタ２０１は例外処理と判断する。
【００２８】
一般的に、例外処理が発生するとプリント動作を一時停止させる。このときプリンタ２０１は、図示しない障害処理回路にてエラー情報２１０を発行する。これを制御部２０８が受け取ると、スイッチ２０９をオフ状態にし、ＶＢＵＳの電源電圧供給を停止させる。
【００２９】
同時にユーザに対して発生した障害に対処するよう、図示しない操作パネルや、ＬＥＤの点滅等で警告する。この警告に従ってユーザが障害を取り除き通常動作が可能な状態に復帰すると、制御部２０８はスイッチ２０９をオン状態にしてＶＢＵＳに電源電圧Ｖｏｕｔを供給する。
【００３０】
例えば、プリンタ２０１に設置されているレジュームスイッチ２１１を押下すると、図示しないキー操作制御回路により障害が取り除かれたと判断し、図示しない駆動回路に復帰動作命令を送信する。それと同時に上述したようにＶＢＵＳに電源電圧Ｖｏｕｔを供給する。その後再び、画像データ転送、プリントデータ生成、プリント動作を再開する。
【００３１】
以上の様に、ホスト装置において周辺デバイスに供給する電源電圧供給をオンオフするスイッチを設け、ダイレクトプリント中にプリンタ２０１が何らかの障害によって動作停止状態になった時は、周辺デバイス（図３の例では、スキャナ２０２）に電源電圧ＶＢＵＳを供給しないように制御し、ユーザによって障害が取り除かれ、再び動作可能な状態に復帰するとＶＢＵＳを供給するような構成にすることで無駄な電力を消費しないようにできる。
【００３２】
図４は、本発明に係る記録装置における第１の電源制御手順の一例を示すフローチャートであり、本手順に従うプログラムは、ＲＯＭ１０２に記憶されており、該上記プログラムをＲＡＭ１０３にロードしてＣＰＵ１０１が実行することにより実現される。なお、（４０１）〜（４１１）は各ステップを示す。
【００３３】
ダイレクトプリントを開始するために、まず、プリンタ２０１に設置されている操作パネル等から、スキャナ２０２で画像を取り込み画像データに変換する際の取り込み解像度、プリント品位、被記録用紙の種類、プリント枚数、等を設定する（４０１）。そして、スタートボタン等を押してダイレクトプリントを開始する（４０２）。そして、スキャナ２０２とプリンタ２０１が接続された時点もしくは、ここでＶＢＵＳに電源電圧を供給する（４０３）。
【００３４】
次に、スキャナ２０２は画像取り込みを開始し、プリンタ２０１へ画像データを転送する。プリンタ２０１は画像データを受信し、プリントデータの生成を行う（４０４）。
【００３５】
次に、プリント動作が可能なデータ量分のプリントデータが生成されたか否かを判断し（４０５）、ＮＯならばステップ（４０４）へ戻り、ＹＥＳならばプリンタ２０１がプリント動作を開始する（４０６）。
【００３６】
そして、図示しないセンサ情報等によりプリント中に紙詰まり、搬送不良等の障害（エラー）が発生したかどうかをＣＰＵ１０１が判断して（４０７）、エラーが発生していないと判断した場合には、プリント処理を終了する。尚、トナー無しや、紙無しなどの消耗品切れをエラーに含めるようにしても良い。
【００３７】
一方、ステップ（４０７）で、エラーが発生していると判断した場合には、プリント動作を一時停止させ、ＶＢＵＳへ電源電圧の供給を停止させとともに、同時にユーザに障害発生の警告を行う（４０８）。
【００３８】
そして、障害が取り除かれエラーから復旧したかどうかを判断して（４０９）、正常印刷可能な状態に復旧したと判断した場合は、再びＶＢＵＳへ電源電圧を供給して（４１０）、スキャナ２０２への電源供給を再開して、プリンタ２０１がスキャナ２０２からの画像データを正常印刷可能な状態に遷移させる。
【００３９】
このとき、継続可能であるならば引き続きスキャナ２０２から画像データを受信し、プリントデータ２０１を生成し、プリント動作を行うことで所望のプリントを得ることが可能であるかどうかを判断して（４１１）、可能であると判断した場合には、ステップ（４０４）へ戻り、可能でないと判断した場合、例えば万一初期化などによって画像データ、プリントデータ等を失った場合は、一連の動作を終了し、再度プリント要求があれば最初から始める。
【００４０】
以下、図５に示すメモリマップを参照して本発明に係る記録装置で読み出し可能なデータ処理プログラムの構成について説明する。
【００４１】
図５は、本発明に係る記録装置で読み出し可能な各種データ処理プログラムを格納する記憶媒体のメモリマップを説明する図である。
【００４２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００４３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００４４】
本実施形態における図４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００４５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００４６】
この場合、記憶媒体から読み出されたプログラムコード自体が本発明の新規な機能を実現することになり、そのプログラムコードを記憶した記憶媒体は本発明を構成することになる。
【００４７】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００４８】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００４９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００５０】
本発明は上記実施形態に限定されるものではなく、本発明の趣旨に基づき種々の変形（各実施形態の有機的な組合せを含む）が可能であり、それらを本発明の範囲から排除するものではない。
【００５１】
上記実施形態によれば、ダイレクトプリント機能を持つプリンタ等のホスト装置と、それに接続されるスキャナ等の周辺デバイス、特に電源電圧をホストから供給される周辺デバイスがインタフェースを介し接続され、ダイレクトプリント等の駆動制御やデータ通信を行う際に、ホスト装置に障害が発生し機能が停止している間は周辺デバイスへの電源電圧供給を停止し、機能が復帰したら任意に再び電源電圧の供給を行う構成にすることによって、無駄な消費電力を抑えることができる。特に、充電池等のバッテリにて動作するホスト装置にとっては動作時間を延ばす事が可能となる。
【００５２】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜２０について説明する。
【００５３】
〔実施態様１〕
所定のケーブルを介して周辺デバイスと通信するとともに、該所定のケーブルを介して該周辺デバイスに電源を供給可能な記録装置であって、前記周辺デバイスから入力される画像データに基づいて記録ヘッドの駆動を制御して記録媒体に印刷を行う印刷制御手段と、前記記録ヘッドを駆動した記録動作中に、記録動作を停止するようなエラーが発生しているかどうかを判断する判断手段（図２に示すダイレクトプリント制御回路１１４に相当）と、前記判断手段によりエラーが発生していると判断された場合に、前記周辺デバイスに対する電源供給を停止する電源制御手段（図２に示すダイレクトプリント制御回路１１４の指示に基づくＩ／Ｆ制御回路１０６による電源制御処理に相当）とを備えたことを特徴とする記録装置。
【００５４】
〔実施態様２〕
前記周辺デバイスは、ホスト装置を介在することなく、前記所定のケーブルを介してダイレクト接続されて通信可能であることを特徴とする実施態様１記載の記録装置。
【００５５】
〔実施態様３〕
前記電源制御手段は、前記記録動作を停止している間は周辺デバイスへ供給する電源電圧をオフすることを特徴とする実施態様１または２記載の記録装置。
【００５６】
〔実施態様４〕
前記電源制御手段は、記録再開指示入力に基づき、前記周辺デバイスへの供給を再開することを特徴とする実施態様１〜３のいずれかに記載の記録装置。
【００５７】
〔実施態様５〕
前記判断手段は、給送される記録媒体の紙詰まり、給送される記録媒体の搬送不良、前記記録ヘッド内の記録剤切れのいずれかが発生している場合に、記録動作を停止するようなエラーが発生していると判断することを特徴とする実施態様１〜４のいずれかに記載の記録装置。
【００５８】
〔実施態様６〕
前記電源制御手段は、前記判断手段により、前記エラー発生時に、予め設定されたキー操作によって前記記録ヘッドを含む機能回復動作指示を行い、該機能回復動作指示に対する応答結果に基づき、正常記録動作が可能となったと判断した場合に、前記周辺デバイスに供給する電源電圧をオンすることを特徴とする実施態様５記載の記録装置。
【００５９】
〔実施態様７〕
所定のケーブルは、ＵＳＢインタフェースであることを特徴とする実施態様１〜６のいずれか記載の記録装置。
【００６０】
〔実施態様８〕
前記周辺デバイスは、原稿画像を読み取り可能なスキャナであることを特徴とする実施態様１〜７のいずれか記載の記録装置。
【００６１】
〔実施態様９〕
前記判断手段は、前記周辺デバイスにダイレクト接続された状態における記録動作中に、記録動作を停止するようなエラーが発生しているかどうかを判断することを特徴とする実施態様１〜９のいずれか記載の記録装置。
【００６２】
〔実施態様１０〕
所定のケーブルを介して周辺デバイスと通信するとともに、該所定のケーブルを介して該周辺デバイスに電源を供給可能な記録装置における電源制御方法であって、前記周辺デバイスから入力される画像データに基づいて記録ヘッドの駆動を制御して記録媒体に印刷を行う印刷制御ステップ（図４に示すステップ（４０６））と、前記記録ヘッドを駆動した記録動作中に、記録動作を停止するようなエラーが発生しているかどうかを判断する判断ステップ（図４に示すステップ（４０７））と、前記判断ステップによりエラーが発生していると判断された場合に、前記周辺デバイスに対する電源供給を停止する電源制御ステップ（図４に示すステップ（４０８）〜（４１１））とを備えたことを特徴とする電源制御方法。
【００６３】
〔実施態様１１〕
前記周辺デバイスは、ホスト装置を介在することなく、前記所定のケーブルを介してダイレクト接続されて通信可能であることを特徴とする実施態様１０に記載の電源制御方法。
【００６４】
〔実施態様１２〕
前記電源制御ステップは、前記記録動作を停止している間は周辺デバイスへ供給する電源電圧をオフすることを特徴とする実施態様１０または１１記載の電源制御方法。
【００６５】
〔実施態様１３〕
前記電源制御ステップは、記録再開指示入力に基づき、前記周辺デバイスへの供給を再開することを特徴とする実施態様１０〜１２のいずれかに記載の電源制御方法。
【００６６】
〔実施態様１４〕
前記判断ステップは、給送される記録媒体の紙詰まり、給送される記録媒体の搬送不良、前記記録ヘッド内の記録剤切れのいずれかが発生している場合に、記録動作を停止するようなエラーが発生していると判断することを特徴とする実施態様１０〜１３のいずれかに記載の電源制御方法。
【００６７】
〔実施態様１５〕
前記電源制御ステップは、前記判断ステップにより、前記エラー発生時に、予め設定されたキー操作によって前記記録ヘッドを含む機能回復動作指示を行い、該機能回復動作指示に対する応答結果に基づき、正常記録動作が可能となったと判断した場合に、前記周辺デバイスに供給する電源電圧をオンすることを特徴とする実施態様１３記載の電源制御方法。
【００６８】
〔実施態様１６〕
所定のケーブルは、ＵＳＢインタフェースであることを特徴とする実施態様１０〜１５のいずれかに記載の電源制御方法。
【００６９】
〔実施態様１７〕
前記周辺デバイスは、原稿画像を読み取り可能なスキャナであることを特徴とする実施態様１０〜１６のいずれかに記載の電源制御方法。
【００７０】
〔実施態様１８〕
前記判断ステップは、前記周辺デバイスにダイレクト接続された状態における記録動作中に、記録動作を停止するようなエラーが発生しているかどうかを判断することを特徴とする実施態様１０〜１７のいずれかに記載の電源制御方法。
【００７１】
〔実施態様１９〕
第１０〜第１９の実施態様のいずれかに記載の電源制御方法を実現するプログラムを記憶したことを特徴とするコンピュータが読み取り可能な記憶媒体。
【００７２】
〔実施態様２０〕
第１０〜第１９の実施態様のいずれかに記載の電源制御方法を実現することを特徴とするプログラム。
【００７３】
【発明の効果】
以上説明したように、本発明によれば、所定のケーブルを介して周辺デバイスと通信するとともに、該所定のケーブルを介して該周辺デバイスに電源を供給可能な記録装置において、周辺デバイスから入力される画像データに基づいて記録ヘッドの駆動を制御して記録媒体に印刷を行う際に、記録ヘッドを駆動した記録動作中に、記録動作を停止するようなエラーが発生しているかどうかを判断して、エラーが発生していると判断された場合に、周辺デバイスに対する電源供給を停止するので、記録動作を停止するようなエラーが発生して正常に復旧するまでの間、周辺デバイスに対する電源供給を停止可能となり、エラー発生からエラー復旧までの間に消費される無断な電力を節減できる利便性に優れた電源管理を行えるという効果を奏する。
【図面の簡単な説明】
【図１】本発明に係る記録装置を適用した画像処理システムの一例を示す図である。
【図２】本発明の一実施形態を示す記録装置の構成を説明するブロック図である。
【図３】図１に示したプリンタとスキャナがＵＳＢインタフェースケーブルを経由して接続したシステム形態を説明する図である。
【図４】本発明に係る記録装置における第１の電源制御手順の一例を示すフローチャートである。
【図５】本発明に係る記録装置で読み出し可能な各種データ処理プログラムを格納する記憶媒体のメモリマップを説明する図である。
【符号の説明】
１０１  ＣＰＵ
１０２  ＲＯＭ
１０３  ＲＡＭ
１０４  インタフェース（Ｉ／Ｆ）
１０５  記録装置制御部（ＡＳＩＣ）
１０６  インタフェース制御回路
１０７  データ制御回路、
１０８  プリントデータ生成回路
１０９  ヘッド制御回路
１１０  駆動回路制御
１１１  記録ヘッド
１１２  キャリッジモータ
１１３  搬送モータ
１１４  ダイレクトプリント制御回路
１１５  キー操作制御回路
１１６  パワースイッチ
１１７  レジュームスイッチ
２０１  プリンタ
２０２  スキャナ
２０３  ＵＳＢインタフェースケーブル
２０４  駆動制御回路
２０５  インタフェース（スキャナ）
２０６  インタフェース（プリンタ）
２０７  インタフェース制御回路
２０８  制御部
２０９  ＶＢＵＳスイッチ
２１０  エラー情報
２１１  レジュームスイッチ
【図１】
2004167879.tif 000003
【図２】
2004167879.tif 000004
【図３】
2004167879.tif 000005
【図４】
2004167879.tif 000006
【図５】
2004167879.tif 000007